(57)【要約】【課題】振動検出センサ等の振動検出器を、新台入れ替え等に際して取り替えられる交換対象側に搭載するのではなく、遊技盤を支持する非交換対象側に保持しつつ、新たな遊技盤を前枠にセットしたとき振動を適正に検出し得る状態になるようにした弾球遊技機を提供する。【解決手段】遊技盤１０に作用した振動を検出可能な振動検出センサ４８と、該振動検出センサ４８を遊技盤１０の裏面側に接触させる接触位置に保持する第１の状態と該振動検出センサ４８を前枠２又は裏セット盤３０に保持する第２の状態とに変更可能な、保持部４０及び仮止め部４７からなる状態変更手段とを備える。これにより、従前のように、新台入れ替え等で盤面替えが行われる際に、振動検出センサ４８を、交換する遊技盤毎に毎回使い捨てるような問題を解消することができる。【選択図】図２
2010188040.tif 000002
【特許請求の範囲】
【請求項１】
遊技領域に遊技球を打ち出して遊技してなる弾球遊技機において、
前面側に前記遊技領域が形成される遊技盤と、
前記遊技盤を立設姿勢で着脱可能に収容保持する前枠と、
前記遊技盤の後面側を覆うように前記前枠の後方に配置された裏セット盤と、
前記遊技盤に作用した所定の基準値以上の振動を検出可能な振動検出器と、
前記振動検出器を前記遊技盤の裏面側に接触させる接触位置に保持する第１の状態と、前記振動検出器を前記前枠及び前記裏セット盤の何れか一方に保持する第２の状態とに変更可能な状態変更手段と、を備える、
ことを特徴とする弾球遊技機。
【請求項２】
前記状態変更手段は、
前記振動検出器を挿入固定して前記遊技盤の裏面側に接触させた状態に保持する保持部と、
前記前枠及び前記裏セット盤の何れか一方に配置されて、前記保持部から取り外された前記振動検出器を仮止め保持可能な仮止め部とからなる、
請求項１に記載の弾球遊技機。
【請求項３】
前記仮止め部は、
前記遊技盤が前記前枠に装着された状態で前記保持部の後側に位置整合するように設けられると共に、仮止めされた前記振動検出器を、前記保持部に向けて移動させることにより該保持部に挿入保持するように構成され、かつ、該保持部に挿入保持された前記振動検出器の後端面を係止して押さえる係止部を有してなる、
請求項２に記載の弾球遊技機。
【請求項４】
前記状態変更手段は、
前記前枠及び前記裏セット盤の何れか一方に支持された状態で、前記振動検出器を弾性部材で付勢することにより、前記遊技盤が前記前枠に装着された際に該遊技盤の裏面側に接触する前記接触位置に保持する保持部からなる、
請求項１に記載の弾球遊技機。
【請求項５】
前記弾球遊技機の作動を統括的に制御する主制御基板と、
前記遊技領域に設けられ、画像を表示する表示部を有する画像表示器と、
前記主制御基板から入力される演出指令信号に基づいて前記画像表示器に画像制御信号を出力し、前記表示部に遊技展開に応じた画像を表示させる演出制御基板と、
前記主制御基板との間で双方通信可能で該主制御基板からの払出指令信号に基づいて球払出装置の作動を制御する払出制御基板と、を備え、
前記振動検出器は前記払出制御基板に電気的に接続され、かつ、
前記画像表示器が前記遊技盤の背後に位置するように前記裏セット盤に設けられると共に、前記表示部を前記弾球遊技機の正面から視認可能に臨ませる窓部が前記遊技盤に設けられ、
前記主制御基板及び前記演出制御基板が、前記窓部よりも下方かつ前記遊技盤の下端面よりも上方の該遊技盤の後面下部領域に配設され、かつ前記遊技盤の後面下部領域に前後方向で重なり合うように配設され、
前記画像表示器と前記主制御基板とが弾球遊技機の背面視において上下に並んで視認可能に配設され、
前記演出制御基板は、前記遊技展開に応じた画像の表示を含み前記前枠に収容される前記遊技盤の種別に応じて相反する演出機能を実現するための制御要素により構成され、
前記演出制御基板から出力される音響制御信号を増幅して遊技機前面側に設けられたスピーカに出力する増幅器を含み、前記前枠に収容される前記遊技盤の種別に拘わらず共通の演出機能を実現するための制御要素により構成された枠演出接続基板を備え、
前記枠演出接続基板及び前記払出制御基板が前記前枠の背面下部に前後方向で重なり合うように配設され、
前記主制御基板と前記払出制御基板とが弾球遊技機の背面視において上下に並んで視認可能に配設されてなる、
請求項１乃至４の何れか１項に記載の弾球遊技機。
【請求項６】
遊技機本体の叩き可能部位に配置されて人体の接触の有無を検知する接触検知センサと、
前記遊技領域に配置された特定入賞部への入賞を判定する入賞判定手段と、
前記振動検出器による振動検出、前記入賞判定手段による前記特定入賞部への入賞判定、及び前記接触検知センサによる人体接触検知に基づき、前記特定入賞部への入賞を不正行為による不正入賞と判定する不正入賞判定手段と、を備える、
請求項１乃至５の何れか１項に記載の弾球遊技機。
【発明の詳細な説明】
【技術分野】
【０００１】
本発明は、パチンコ機等の弾球遊技機に係り、詳しくは、遊技盤等に加えられる振動を検出する振動検出器を備えた弾球遊技機に関する。
【背景技術】
【０００２】
上記のような弾球遊技機の代表例であるパチンコ機は、遊技盤を立設姿勢で着脱可能に収容保持する前枠と、前枠の後面側に横開き開閉可能に設けられ常には遊技盤の背後を覆って配設される裏セット盤と、前面の表示部が遊技機正面に臨んで配設され遊技展開に応じた画像を表示する画像表示器などを備えて構成される。画像表示器は、多様な画像表示による遊技展開の複雑化を可能とするため、一般的に、液晶表示パネルなどのカラー画像表示器が用いられ、よりダイナミックな画像演出を可能とするため、画像表示器の大型化が進展している。
【０００３】
一方、パチンコ機は、ある程度の期間遊技に供されると遊技者の関心が離れ、稼働率が低下する。このような場合に、所謂盤面替えと称される新台の入れ替え作業によって遊技盤が交換されると、比較的高額な画像表示器が本来の寿命よりもはるかに短い使用期間で廃棄されることとなり、新台入れ替えのコスト面でも環境保護の面でも好ましくない。そのため、近年では、画像表示器を裏セット盤に設けることにより、遊技盤が入れ替えられても、画像表示器はそのまま利用可能とした構成の弾球遊技機が提案されている（特許文献１参照）。
【０００４】
また、このような新台入れ替えのコスト面や環境保護の面を考える場合、画像表示器だけでなく、遊技機を叩いて不正に入賞や当たりを得ようとする不正行為（所謂ゴト行為）を検出するための振動検出センサを、新台入れ替え作業による遊技盤交換時に無駄に廃棄されないようにすることも重要である。
【０００５】
例えば、所謂第２種特別電動役物を使用したパチンコ機（以下、第２種パチンコ遊技機ともいう）として、始動入賞口への入賞を契機として開閉動作する可動翼片（開閉部材）を有する役物装置（入球役物）を備え、該可動翼片の開放時に取り込まれた遊技球が役物装置内の特定領域を通過した際に、通常遊技状態から、遊技者にとって有利となる特別遊技状態へと移行するように構成された所謂第２種パチンコ遊技機が知られている（特許文献２参照）。この第２種パチンコ遊技機は、遊技領域に役物装置を備え、該役物装置の上部左右に配置された一対の可動翼片を開閉動作させ、開閉する可動翼片によって取り込まれた遊技球を、第１通過経路と第２通過経路とに振り分けるように構成される。第１通過経路は、通過する遊技球を、一方向に回転する回転体（所謂クルーン）の一般入賞口及び特定入賞口（所謂Ｖゾーン）の何れか一方に入賞させ得るように案内し、第２通過経路は、通過する遊技球を、第１通過経路の場合とは異なる位置（上記回転体の中央部分）に落下させ得るように案内する。第２通過経路は、第１通過経路よりも特定入賞口に入賞し易いように構成される。
【０００６】
このような特許文献２記載のパチンコ機は、第１通過経路における下流側に、一方向回転する回転体の一般入賞口及び特定入賞口の何れかに入賞可能に導く通行部位と、該通行部位を通過した遊技球を排出するため導入する排出口と、これら通行部位及び排出口の近傍に起立状態で配置された、竹箒部を把持する人形状の可動部材とを有しており、該可動部材がその起立状態を変えることで、竹箒部の先端で排出口を塞ぐ状態（停留可能状態）と、竹箒部で排出口を塞がない、該排出口への導入可能状態（停留不能状態）とを切換えるように構成されている。
【０００７】
ところで、特許文献２記載のパチンコ機では、始動入賞口への入賞により可動翼片が開閉動作して遊技球が役物装置内に取り込まれて、例えば第１通過経路に導かれた場合、該遊技球が通行部位に接近する際に可動部材が排出口を塞ぐ停留可能状態になっていれば、該遊技球は通行部位に進入して回転体の特定入賞口を狙うことが可能になる。しかし、これとは逆に、遊技球が通行部位に接近した際に可動部材が排出口を塞がない停留不能状態になっていると、該遊技球は通行部位に進入することはできず、該通行部位を通過して排出口から排出されてしまうことになる。
【０００８】
そのため、悪意の遊技者（不正行為者）は、このような停留不能状態において球受け皿等を遊技球の転動に合わせて強く叩き（所謂ドツキ）、その振動を役物装置自体に伝えることで、第１通過経路を転動移動する遊技球に異常な動きを与え、それにより、本来は通過するはずの通行部位側に遊技球を寄せて進入させるようにする。このような不正行為（所謂ゴト行為）は、回転体の特定入賞口（所謂Ｖゾーン）が通行部位に接近してきたタイミングで行われるもので、不正行為者は、一度で成功しなくても、それを何度もやることで成功させるのである。
【０００９】
このような不正行為への対応策として、振動検出センサを遊技盤におけるセンター飾りの背面側に取り付け、不正行為者が球受け皿等を強く叩くことで遊技盤側に与えた振動を該振動検出センサで検出した際に、予め決められた措置をとるように構成した弾球遊技機が知られている（特許文献３参照）。この措置としては、例えばその後の遊技を無効にしたり、警告を音、光、表示等で発したりするようなものである。
【００１０】
また、上述のような不正行為は、上記第２種パチンコ遊技機だけでなく、所謂第１種特別電動役物を使用したパチンコ機（以下、第１種パチンコ遊技機ともいう）においても行われる。即ち、該第１種パチンコ遊技機では、多くの機種が遊技領域の中央部分にセンター飾りを備えており、該センター飾りに設けられたワープ導入口から導入された遊技球が、該センター飾りの下側に設けられたステージ上に放出されて転がり移動した際に、球受け皿等を強く叩くことで該遊技球の転動軌跡を故意に変化させて、下方の始動チャッカーに通じる所謂１００％ルートに不正に導いたり、また、該始動チャッカー近傍の釘（障害釘）に絡んでいる遊技球を球受け皿等を強く叩くことで始動チャッカーに無理矢理入賞させようとしたりするのである。
【００１１】
このような第１種パチンコ遊技機における不正行為に対しても、上述と同様に、振動検出センサで振動を検出して警告等を発するように対策することができる。
【先行技術文献】
【特許文献】
【００１２】
【特許文献１】特開２００５−３０５０３２号公報
【特許文献２】特開２００４−１７４２３８号公報
【特許文献３】特開２００５−３１２６７８号公報
【発明の概要】
【発明が解決しようとする課題】
【００１３】
しかし、上記特許文献３記載の第２種パチンコ遊技機では、振動検出センサが遊技盤の裏面に固定されているため、新台入れ替え等で盤面替えが行われると、決して安くはない使用可能な振動検出センサを、交換する遊技盤毎に毎回使い捨てることになり、新台入れ替えのコスト面においても環境保護の面においても好ましいことではない。これは、上述した第１種パチンコ遊技機においても同様である。
【００１４】
そこで本発明は、振動検出センサ等の振動検出器を、新台入れ替え等に際して取り替えられる交換対象側に搭載するのではなく、遊技盤を支持する非交換対象側に保持しつつ、新たな遊技盤を前枠にセットしたとき振動を適正に検出し得る状態になるように構成し、もって上述した課題を解決し得る弾球遊技機を提供することを目的とするものである。
【課題を解決するための手段】
【００１５】
請求項１に係る本発明は（例えば図１〜図１２参照）、遊技領域（ＰＡ）に遊技球を打ち出して遊技してなる弾球遊技機（ＰＭ）において、
前面側に前記遊技領域（ＰＡ）が形成される遊技盤（１０）と、
前記遊技盤（１０）を立設姿勢で着脱可能に収容保持する前枠（２）と、
前記遊技盤（１０）の後面側を覆うように前記前枠（２）の後方に配置された裏セット盤（３０）と、
前記遊技盤（１０）に作用した所定の基準値以上の振動を検出可能な振動検出器（４８）と、
前記振動検出器（４８）を前記遊技盤（１０）の裏面側に接触させる接触位置に保持する第１の状態と、前記振動検出器（４８）を前記前枠（２）及び前記裏セット盤（３０）の何れか一方に保持する第２の状態とに変更可能な状態変更手段（４０，５６、４７，５７、６１）と、を備える、
ことを特徴とする弾球遊技機（ＰＭ）にある。
【００１６】
なお、本発明における上記「前面側」は、遊技領域に向かって対座して遊技している遊技者が位置する側を意味している。また、本発明における上記「接触位置」は、振動検出器を遊技盤裏面側に接触させて該振動検出器による振動検出を可能にする位置を意味する。更に、本発明における上記「遊技盤の裏面側に接触」は、振動検出器を遊技盤の裏面に直接的に接触させる場合、及び、振動検出器を遊技盤の裏面に他部材を介在した形で間接的に接触させる場合の双方を含む概念であり、いずれの場合においても振動検出器による振動検出が可能となる。
【００１７】
請求項２に係る本発明は（例えば図２、図３、図７〜図９、及び図１１参照）、前記状態変更手段は、
前記振動検出器（４８）を挿入固定して前記遊技盤（１０）の裏面側に接触させた状態に保持する保持部（例えば４０，５６）と、
前記前枠（２）及び前記裏セット盤（３０）の何れか一方に配置されて、前記保持部（例えば４０，５６）から取り外された前記振動検出器（４８）を仮止め保持可能な仮止め部（例えば４７，５７）とからなる、
請求項１に記載の弾球遊技機（ＰＭ）にある。
【００１８】
請求項３に係る本発明は（例えば図１１参照）、前記仮止め部（例えば５７）は、
前記遊技盤（１０）が前記前枠（２）に装着された状態で前記保持部（例えば５６）の後側に位置整合するように設けられると共に、仮止めされた前記振動検出器（４８）を、前記保持部（５６）に向けて移動させることにより該保持部（５６）に挿入保持するように構成され、かつ、該保持部（例えば５６）に挿入保持された前記振動検出器（４８）の後端面（４８ｅ）を係止して押さえる係止部（５７ｂ）を有してなる、
請求項２に記載の弾球遊技機（ＰＭ）にある。
【００１９】
請求項４に係る本発明は（例えば図９及び図１２参照）、前記状態変更手段は、
前記前枠（２）及び前記裏セット盤（３０）の何れか一方に支持された状態で、前記振動検出器（４８）を弾性部材（６２）で付勢することにより、前記遊技盤（１０）が前記前枠（２）に装着された際に該遊技盤（１０）の裏面側に接触する前記接触位置に保持する保持部（例えば６１）からなる、
請求項１に記載の弾球遊技機（ＰＭ）にある。
【００２０】
請求項５に係る本発明は（例えば図２〜図４、図６、図７及び図１０参照）、前記弾球遊技機の作動を統括的に制御する主制御基板（４２）と、
前記遊技領域（ＰＡ）に設けられ、画像を表示する表示部（５５）を有する画像表示器（５０）と、
前記主制御基板（４２）から入力される演出指令信号に基づいて前記画像表示器（５０）に画像制御信号を出力し、前記表示部（５５）に遊技展開に応じた画像を表示させる演出制御基板（４４）と、
前記主制御基板（４２）との間で双方通信可能で該主制御基板（４２）からの払出指令信号に基づいて球払出装置（３４）の作動を制御する払出制御基板（４３）と、を備え、
前記振動検出器（４８）は前記払出制御基板（４３）に電気的に接続され、かつ、
前記画像表示器（５０）が前記遊技盤（１０）の背後に位置するように前記裏セット盤（３０）に設けられると共に、前記表示部（５５）を前記弾球遊技機の正面から視認可能に臨ませる窓部（１５ｂ）が前記遊技盤（１０）に設けられ、
前記主制御基板（４２）及び前記演出制御基板（４４）が、前記窓部（１５ｂ）よりも下方かつ前記遊技盤（１０）の下端面よりも上方の該遊技盤（１０）の後面下部領域に配設され、かつ前記遊技盤（１０）の後面下部領域に前後方向で重なり合うように配設され、
前記画像表示器（５０）と前記主制御基板（４２）とが弾球遊技機の背面視において上下に並んで視認可能に配設され、
前記演出制御基板（４４）は、前記遊技展開に応じた画像の表示を含み前記前枠（２）に収容される前記遊技盤（１０）の種別に応じて相反する演出機能を実現するための制御要素により構成され、
前記演出制御基板（４４）から出力される音響制御信号を増幅して遊技機前面側に設けられたスピーカ（２６）に出力する増幅器を含み、前記前枠（２）に収容される前記遊技盤（１０）の種別に拘わらず共通の演出機能を実現するための制御要素により構成された枠演出接続基板（４５）を備え、
前記枠演出接続基板（４５）及び前記払出制御基板（４３）が前記前枠（２）の背面下部に前後方向で重なり合うように配設され、
前記主制御基板（４２）と前記払出制御基板（４３）とが弾球遊技機の背面視において上下に並んで視認可能に配設されてなる、
請求項１乃至４の何れか１項に記載の弾球遊技機（ＰＭ）にある。
【００２１】
請求項６に係る本発明は（例えば図１、図２及び図１０参照）、遊技機本体の叩き可能部位（例えば８ａ）に配置されて人体の接触の有無を検知する接触検知センサ（３６）と、
前記遊技領域（ＰＡ）に配置された特定入賞部（所謂第１種パチンコ遊技機の場合は例えば１４、所謂第２種パチンコ遊技機の場合はＶゾーン）への入賞を判定する入賞判定手段（５９）と、
前記振動検出器（４８）による振動検出、前記入賞判定手段（５９）による前記特定入賞部（１４）への入賞判定、及び前記接触検知センサ（３６）による人体接触検知に基づき、前記特定入賞部への入賞を不正行為による不正入賞と判定する不正入賞判定手段（６０）と、を備える、
請求項１乃至５の何れか１項に記載の弾球遊技機（ＰＭ）にある。
【００２２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００２３】
請求項１に係る本発明によると、遊技盤に作用した所定の基準値以上の振動を検出可能な振動検出器と、振動検出器を遊技盤の裏面側に接触させる接触位置に保持する第１の状態と振動検出器を前枠及び裏セット盤の何れか一方に保持する第２の状態とに変更可能な状態変更手段とを備えるので、振動検出器を、交換対象の遊技盤側に搭載するのではなく、非交換対象である遊技盤背面側の基板に電気的に接続した状態で該背面側に保持し、交換した遊技盤を前枠にセットした時点で、遊技盤に加わる振動を適正に検知し得る状態にすることができる。従って、従前のように、新台入れ替え等で盤面替えが行われる際に、振動検出器を、交換する遊技盤毎に毎回使い捨てるような問題を解消することができる。
【００２４】
請求項２に係る本発明によると、状態変更手段が、振動検出器を挿入固定して遊技盤の裏面側に接触させた状態に保持する保持部と、前枠及び裏セット盤の何れか一方に配置されて、保持部から取り外された振動検出器を仮止め保持可能な仮止め部とからなるので、新台入れ替え等で盤面替えする際には、保持部から取り外した振動検出器を仮止め部に仮止め保持しておき、その状態で遊技盤を新しいものに交換した後、仮止め部から取り外した振動検出器を、新たな遊技盤に設けられている保持部に挿入保持することで、極めて容易に振動検出器の取付け作業を行うことができる。
【００２５】
請求項３に係る本発明によると、仮止め部は、遊技盤が前枠に装着された状態で保持部の後側に位置整合するように設けられると共に、仮止めされた振動検出器を、保持部に向けて移動させることにより該保持部に挿入保持するように構成されるので、振動検出器の仮止め部への仮止め工程、前枠側への装着工程を、極めて容易にワンタッチ的に行うことができ、作業性が向上される。更に、仮止め部が、保持部に挿入保持された振動検出器の後端面を係止して押さえる係止部を有するので、仮止め部側から保持部側に移動させて挿入した振動検出器を係止部で自動的に係止することができ、作業性がより向上される。
【００２６】
請求項４に係る本発明によると、状態変更手段が、前枠及び裏セット盤の何れか一方に支持された状態で、振動検出器を弾性部材で付勢することにより、遊技盤が前枠に装着された際に該遊技盤の裏面側に接触する接触位置に保持する保持部からなるので、振動検出器を極めて簡単に振動検知状態にセットすることができ、作業性がより向上される。
【００２７】
請求項５に係る本発明によると、弾球遊技機の作動を統括的に制御する主制御基板と、遊技領域に設けられ、画像を表示する表示部を有する画像表示器と、主制御基板から入力される演出指令信号に基づいて画像表示器に画像制御信号を出力し、表示部に遊技展開に応じた画像を表示させる演出制御基板と、主制御基板との間で双方通信可能で該主制御基板からの払出指令信号に基づいて球払出装置の作動を制御する払出制御基板とを備え、振動検出器が払出制御基板に電気的に接続されるので、振動検出器からの振動検出信号を主制御基板に出力できると共に、該主制御基板を経由して例えば演出制御基板に振動検出信号を送って、不正行為を抑制するような画面を表示することが可能になる。また、主制御基板及び演出制御基板が、窓部よりも下方かつ遊技盤の下端面よりも上方の該遊技盤の後面下部領域に配設され、かつ遊技盤の後面下部領域に前後方向で重なり合うように配設されるので、新台入れ替え等で遊技盤を着脱交換する際に、遊技盤に固有の主制御基板及び演出制御基板を一体的に交換することができ、作業性がより向上される。更に、演出制御基板が遊技盤の後面下部領域に位置しているので、画像表示器を裏セット盤の最後部に配置し、画像表示器の前方に奥行きのある遊技領域を確保することが可能となる。
【００２８】
請求項６に係る本発明によると、接触検知センサが、遊技機本体の叩き可能部位に配置されて人体の接触の有無を検知し、入賞判定手段が、遊技領域に配置された特定入賞部への入賞を判定し、不正入賞判定手段が、振動検出器による振動検出、入賞判定手段による特定入賞部への入賞判定、及び接触検知センサによる人体接触検知に基づき、特定入賞部への入賞を不正行為による不正入賞と判定するので、特定入賞部への入賞があった場合、遊技場係員が実際に現場を見ているか否かに拘わらず、該入賞を、所謂ドツキによる不正行為で取得したものであると容易に特定することができる。そして、不正入賞判定手段が、振動検出器による振動検出、及び入賞判定手段による入賞判定に加え、球受け皿等の叩き可能部位に配置された接触検知センサによる人体接触検知を条件として、特定入賞部への入賞を不正入賞と判定するので、自身の弾球遊技機（本機）にて特定入賞部への正当な入賞が得られた際に、隣りの弾球遊技機（他機）で行われたドツキによる振動が本機に伝わったとしても、本機にて叩き可能部位に対する接触（つまり、ドツキ時の人体接触）が検知されなければドツいたことにはならず、従って、本機側での特定入賞を不正入賞と判定されることはない。このように、本機で遊技している遊技者が、特定入賞部への入賞を折角取得したのに、隣りの弾球遊技機で発生したドツキによる振動の影響で当該特定入賞が無効になる等の不合理な事象の発生を、確実に回避することができる。
【図面の簡単な説明】
【００２９】
【図１】本発明を適用した弾球遊技機の一例として示すパチンコ機の正面図である。
【図２】図１中のI−I矢視の側断面図である。
【図３】上記パチンコ機の背面図である。
【図４】上記パチンコ機の分解斜視図である。
【図５】上記パチンコ機に装着される遊技盤の例として示す遊技盤の正面図である。
【図６】上記遊技盤の背面図である。
【図７】上記遊技盤の中央での側断面図である。
【図８】本実施形態における遊技盤の化粧板裏面側に固定された保持部及び該保持部に装着される振動検出センサを、該保持部を縦断面した状態で示す側面図であり、（ａ）は振動検出センサの挿入前の状態、（ｂ）は振動検出センサの挿入開始の状態、（ｃ）は振動検出センサの挿入完了状態をそれぞれ示す。
【図９】本実施形態における払出制御基板のケース裏面に固定した仮止め部及び該仮止め部に仮止めされる振動検出センサを、該仮止め部を縦断面した状態で示す側面図であり、（ａ）は振動検出センサの挿入前の状態、（ｂ）は振動検出センサの挿入完了状態をそれぞれ示す。
【図１０】本実施形態におけるパチンコ機の制御系を一部抜粋して示す概略ブロック図である。
【図１１】変形例１における遊技盤の化粧板裏面側に固定した保持部と、該保持部の後側に配置される仮止め部を、これら保持部及び仮止め部を縦断面した状態で示す側面図であり、（ａ）は振動検出センサの挿入前の状態、（ｂ）は振動検出センサの挿入開始の状態、（ｃ）は振動検出センサの挿入完了状態をそれぞれ示す。
【図１２】変形例２における裏セット盤側に固定された保持部を縦断面した状態で示す側面図であり、（ａ）は化粧板のセット前の状態、（ｂ）は化粧板のセット後の状態をそれぞれ示す。
【発明を実施するための形態】
【００３０】
以下、本発明の好ましい実施形態について図面を参照して説明する。本発明を適用した弾球遊技機の代表例として、パチンコ機ＰＭの正面図及び背面図をそれぞれ図１及び図３に、図１中のI−I矢視の側断面図を図２に、パチンコ機ＰＭの分解斜視図を図４に示すと共に、このパチンコ機に装着される遊技盤の例として示す遊技盤１０の正面図、背面図及び側断面図をそれぞれ図５，６，７に示しており、これらの図面を参照しながらパチンコ機ＰＭの全体構成について概要説明する。
【００３１】
なお、後述する実施形態及び変形例においては、本発明に係る弾球遊技機を、所謂第１種特別電動役物を使用したパチンコ機に適用した例を挙げて説明するが、本発明はこれに限らず、所謂第２種特別電動役物及び第３種特別電動役物の機能を有する弾球遊技機にも適用できることは勿論である。
【００３２】
パチンコ機ＰＭは、外郭方形枠サイズに枠組みされて縦向きの固定保持枠をなす外枠１の開口前面に、これに合わせた方形枠サイズの開閉搭載用の前枠２が正面左側に配設されたヒンジ機構３ａ，３ｂにより支持されて前方に横開き開閉及び着脱が可能に取り付けられ、正面右側に設けられたダブル錠と称される施錠装置４を利用して外枠１と係合された閉鎖状態に保持される。
【００３３】
前枠２の前方には、前枠２の前面域に合わせた方形枠状で中央上部に複層ガラス６が装着されたガラス枠５が互いの左側縁上下に設けられたヒンジ機構７ａ，７ｂにより前方に横開き開閉及び着脱が可能に支持されており、常には施錠装置４により前枠２の前面を覆う閉鎖状態に保持される。前枠２の上部領域には、前面側に遊技領域ＰＡが形成される遊技盤１０を立設姿勢で収容保持する収容枠２１が設けられており、この収容枠２１に遊技盤１０が前枠後面側から着脱可能に収容されて固定され、常には前枠前面を覆って閉鎖保持されるガラス枠５の複層ガラス６を透視して前面の遊技領域を視認可能に臨ませるようになっている。
【００３４】
図１及び図４においては遊技盤１０の詳細構成の記載を省略するが、遊技盤１０は、所定板厚の積層合板にセルを貼付し、或いは透明な樹脂製の板材を用いた化粧板１１を基板として構成され、化粧板１１の前面に固定されて上向きに開く内レール１２と、前枠２に形成されたアーチ状の外レール２２とに囲まれて縦長円形の遊技領域ＰＡが区画形成される。遊技領域ＰＡには、多数本の遊技釘、風車、中央飾り、各種入賞具などの遊技構成部品が設けられ、遊技領域ＰＡの下端部には入賞具に落入することなく落下した遊技球を裏面側に排出させるアウト口が化粧板１１を前後に貫通して形成されている。遊技盤１０の後面側の下部領域には、後に詳述する球寄せカバー１７、主制御基板４２、演出制御基板４４などが設けられる。
【００３５】
収容枠２１の下側に位置する前枠２の下部領域には、遊技補助盤と称される補助機構部（図示せず）が設けられており、この遊技補助盤に、遊技球を発射する遊技球発射装置２４や、遊技領域ＰＡに到達することなく戻ってきたファール球を回収するファール球回収通路（図示せず）などが設けられている。遊技補助盤の前方を覆うガラス枠５の下部には、前面側に遊技球を貯留する上下の球皿８ａ，８ｂが設けられ、後面側には上球皿８ａに貯留された遊技球を、１球ずつ遊技球発射装置２４に送り出す整流器２５が設けられている。ガラス枠５の前面上部にはスピーカ２６が設けられ、前面下部には、上球皿８ａにチャンスボタン２７、下球皿８ｂの右側方に発射ハンドル９が取り付けられている。
【００３６】
一方、前枠２の後方に位置して裏セット盤３０が設けられている。裏セット盤３０は、上下左右の枠部を有して外枠１の内寸よりも幾分小型の矩形枠状に形成された基枠体３１をベースとし、正面視左側上下に配設されたヒンジ機構を介して前枠後方に横開き開閉及び着脱が可能に連結されており、常には収容枠２１に収容された遊技盤１０の後面側を覆って配設される。基枠体３１の上方枠部３１Ｕには、多数の遊技球を貯留する球貯留タンク３２が取り付けられ、基枠体３１の左方枠部（背面視右側の枠部）３１Ｌには、球貯留タンク３２から整列状態で導かれた遊技球を整列状態で待機させる整列待機通路が形成された待機通路部材３３、及び整列待機通路に待機された遊技球を所定条件のもと払い出す球払出装置３４が取り付けられる。
【００３７】
基枠体３１の下方枠部３１Ｄには、球払出装置３４により払い出された遊技球を上球皿８ａに導く払出通路や、上球皿８ａが満杯の状態で払い出された遊技球を下球皿８ｂに導く溢れ玉通路、遊技盤１０から排出された遊技済み球を遊技島の回収樋に流下させる遊技済み球排出通路などの球通路構造３５が形成されている。また、下方枠部３１Ｄの後面側には、後述する電源基板４１、払出制御基板４３、枠演出接続基板４５などが取り付けられ、これらの制御基板とパチンコ機各部の電気・電子部品がコネクタケーブルで接続され、パチンコ機ＰＭが遊技可能に構成される。なお、前述した主制御基板や演出制御基板を含む各制御基板は、不正な改造行為を防止するため透明な樹脂製の基板ケースに収容された状態で取り付けられている。
【００３８】
このように概要構成されるパチンコ機ＰＭにあって、遊技展開に応じて種々の画像が表示部５５に表示される液晶表示パネル（画像表示器）５０が、基枠体３１の後面側上部に取り付けられる。液晶表示パネル５０は、前面開放の矩形箱状に形成された透明樹脂製の保護ケース５１に収容されており、保護ケース５１の上部及び左右の側部には各々外方に突出する固定フランジ部５１ｆが形成されている。基枠体３１の上方枠部３１Ｕ及び左右の枠部３１Ｌ，３１Ｒには、固定フランジ部５１ｆに対応してパネル保持部が形成されており、このパネル保持部に固定フランジ部がネジ固定されて液晶表示パネル５０が基枠体３１の後面側から取り付けられ、パネル前面の表示部５５が裏セット盤３０の前面側から視認可能に配設される。
【００３９】
各図では、遊技領域ＰＡに設けられる中央飾りや入賞装置等の記載を省略しているが、遊技領域ＰＡの中央部には、化粧板１１を前後に貫通する中央飾り取付孔１３（図７参照）が開口形成され、この中央飾り取付孔１３に中央飾り（センター飾り）１５が取り付けられる。中央飾り１５は、化粧板１１の前面に固定されて中央飾り取付孔の周縁を飾る前面装飾枠１５ａと、この前面装飾枠１５ａと繋がり中央飾り取付孔１３を通って後方に延びる箱枠状（角筒状）の囲壁装飾枠（窓部）１５ｂとを有し、囲壁装飾枠１５ｂの後端が液晶表示パネル５０の表示部直前まで延びて構成される。
【００４０】
また中央飾り１５は、図１及び図５に示すように、中央遊技領域ＣＰＡにおける表示部５５の左側部にワープ導入口１６を有しており、該中央遊技領域ＣＰＡにおける表示部５５の下側にステージＳを有している。ステージＳの中央部の手前側には、該ステージＳ上を転がり移動してタイミング良く位置した遊技球を前側に落下させて始動チャッカー１４に導くために円弧状に窪んだ凹部２０が形成されている。凹部２０の左右には、該凹部２０に導入されなかった遊技球を始動チャッカー１４とは異なる方向に落下させる凹部２３が形成されている。なお、上記「ワープ導入」は、遊技領域ＰＡに打ち出された遊技球を、該遊技領域ＰＡの比較的下側に位置する不図示の道釘（複数本の釘の列）等を経ることなく、始動チャッカー１４側に導くことを意味する概念である。
【００４１】
図２、図４、図６及び図７に示すように、囲壁装飾枠１５ｂの開口面域は、裏セット盤３０に設けられる液晶表示パネル５０の表示サイズに合わせて形成されており、囲壁装飾枠１５ｂと複層ガラス６の後面と液晶表示パネル５０の前面とに囲まれて奥行きのある中央遊技領域ＣＰＡが形成され、この中央遊技領域ＣＰＡを通してパチンコ機ＰＭの正面から液晶表示パネルの表示部５５を視認可能になっている。なお、囲壁装飾枠１５ｂの内側又は液晶表示パネルの表示部前方に、透明樹脂製の仕切板を設けてもよく、化粧板１１を透明樹脂により構成して、液晶表示パネル５０の表示部５５全体を視認可能に構成してもよい。
【００４２】
遊技盤１０の後面側には、化粧板１１の裏面側に排出された遊技済み球を集合させて基枠体の下方枠部３１Ｄに設けられた遊技済み球排出通路に流下させる球寄せカバー１７が設けられている。球寄せカバー１７は、中央飾り１５の外側を覆う蓋状に形成されて化粧板１１にビス止めされており、後面に囲壁装飾枠１５ｂの後端部を挿通させる開口が形成されている。そして、この球寄せカバー１７の下部領域を跨いで、化粧板１１の裏面下部にアーチ状の基板支持ブラケット１８が固定され、この基板支持ブラケット１８にパチンコ機ＰＭの作動を統括的に制御する主制御基板４２、パチンコ機ＰＭの演出制御を行う演出制御基板４４が取り付けられる。
【００４３】
一方、裏セット盤３０の後面側には、下方枠部３１Ｄに設けられた払出通路や溢れ玉通路、遊技済み球排出通路などの球通路構造３５の後方に基板支持ブラケット３８が固定され、この基板支持ブラケット３８に、遊技施設側から受電して各制御基板や電気・電子部品に電力を供給する電源基板４１、主制御基板４２から入力される払出指令信号に基づいて球払出装置３４の作動を制御し、遊技球発射装置２４の作動を制御する払出制御基板（枠制御基板）４３、演出制御基板４４から入力される演出制御信号に基づいた作動を実行する枠演出接続基板４５などが取り付けられる。払出制御基板４３は更に、主制御基板４２から入力される払出指令信号に基づいて球払出装置３４の作動を制御する。
【００４４】
ここで、演出制御基板４４及び枠演出接続基板４５は、パチンコ機ＰＭの各部に設けられた遊技演出用の表示機器やアクチュエータ、音響機器などの演出用機器の作動を制御し、遊技盤１０において展開される遊技に応じた演出を実現するための回路基板であり、従来は演出基板として一体に構成されていた回路基板である。遊技演出用の表示機器として、遊技盤１０に設けられた各種のＬＥＤやランプ（ランプ等という）、ガラス枠５に設けられたランプ等やチャンスボタン２７、裏セット盤３０に設けられた液晶表示パネル５０などが例示され、アクチュエータとして遊技盤１０に設けられた各種入賞装置駆動用のソレノイドやモータ、発射ハンドル９に設けられたバイブレータ、音響機器としてガラス枠５に設けられたスピーカ２６やブザーなどが例示される。
【００４５】
ところで、演出用機器に出力される信号の具体的な内容（コンテンツ）が遊技盤ごとに相違しても、ガラス枠５に設けられたランプ等を点滅させるためのインターフェースやスピーカ２６を駆動可能な電圧まで増幅する増幅器などは、前枠２に収容される遊技盤１０の種別によらず共通である。そこで、本パチンコ機ＰＭでは、従来一体に構成され裏セット盤に設けられていた演出基板を、遊技盤１０の種別に応じて相違する演出機能を実現するための制御要素により構成される演出制御基板４４と、遊技盤１０の種別にかかわらず共通の演出機能を実現するための制御要素により構成される枠演出接続基板４５とに分割し、遊技盤固有の演出機能を実現するための制御要素により構成される演出制御基板４４を遊技盤１０に設け、共通の演出機能を実現するための制御要素により構成される枠演出接続基板４５を裏セット盤３０に設けている。
【００４６】
演出制御基板４４は、主制御基板４２から入力される演出指令信号に基づいて液晶表示パネル５０に画像制御信号を出力し、表示部５５に遊技展開に応じた画像を表示させる。つまり、演出制御基板４４は、主制御基板４２から入力される演出指令信号を受け、遊技盤１０の構成及び遊技の展開状況に応じたランプ制御信号、アクチュエータ制御信号、画像制御信号、音響制御信号などの演出制御信号を生成し出力する。枠演出接続基板４５は、演出制御基板４４から出力され枠演出接続基板４５に入力される演出制御信号を受け、ガラス枠５や前枠２等の遊技機本体側に設けられた演出用機器を作動させるのに適した駆動信号に変換して出力する。
【００４７】
また、前枠２に遊技盤１０を立設姿勢で着脱可能に収容保持させ、その後方を覆って裏セット盤３０を閉止すると、裏セット盤３０の最後部に位置して上方に液晶表示パネル５０、下方に払出制御基板４３が配設され、この液晶表示パネル５０と払出制御基板４３との間に遊技盤１０の最後部に設けられた主制御基板４２が配設される。つまり、パチンコ機ＰＭを後方から見た背面視において、上方から順に液晶表示パネル５０、主制御基板４２、払出制御基板４３が機体の最後部に並んで配設される。
【００４８】
そのため、遊技において「当り」の発生を制御する主制御基板４２や、球払出装置３４の作動を制御する払出制御基板４３について、不正行為を防止するため保護ケース内の制御基板が目視検査可能であるとの規制要件を満たし、かつ液晶表示パネル５０を最大限大型化できると共に、液晶表示パネル５０の前方に、広く奥行きのある中央遊技領域ＣＰＡを確保することができる。
【００４９】
以上のパチンコ機ＰＭでは、液晶表示パネル５０が遊技盤１０の背後に位置して裏セット盤３０に設けられると共に、表示部５５を遊技機正面から視認可能に臨ませる囲壁装飾枠（窓部）１５ｂが遊技盤１０に設けられ、主制御基板４２及び演出制御基板４４が、囲壁装飾枠（窓部）１５ｂよりも下方かつ遊技盤１０の下端面よりも上方の該遊技盤１０の後面下部領域に配設され、かつ遊技盤１０の後面下部領域に前後方向で重なり合うように配設されている。液晶表示パネル５０と主制御基板４２とは、パチンコ機ＰＭの背面視において上下に並んで視認可能に配設されている。演出制御基板４２は、遊技展開に応じた画像の表示を含み前枠２に収容される遊技盤１０の種別に応じて相反する演出機能を実現するための制御要素により構成される。また、枠演出接続基板４５及び払出制御基板４３は、前枠２の背面下部に前後方向で重なり合うように配設されており、主制御基板４２及び払出制御基板４３は、パチンコ機ＰＭの背面視において上下に並んで視認可能に配設されている。更に、下方枠部３１Ｄの後面側に配置された枠演出接続基板４５は、演出制御基板４４から出力される音響制御信号を増幅して遊技機前面側に設けられたスピーカ２６に出力する増幅器を含み、前枠２に収容される遊技盤１０の種別に拘わらず共通の演出機能を実現するための制御要素により構成されている。
【００５０】
ついで、本発明の特徴である振動検出センサの取付け構造について、図２、図３及び図７〜図９を参照して説明する。
【００５１】
本パチンコ機ＰＭでは、図２及び図３に示すように、前枠２に取り付けられた裏セット盤３０には、即ち、遊技機本体の下側における払出制御基板４３の矩形状の透明カバー４６の背面上部には、保持部４０から取り外した振動検出センサ（振動検出器）４８を仮止め保持可能な仮止め部４７が固定されている。なお、該仮止め部４７は、裏セット盤３０側でなく前枠２側に設けることができることは勿論である。
【００５２】
仮止め部４７には、透明カバー４６内の払出制御基板４３に接続されたコネクタ部５２に一端部を機械的及び電気的に接続された電気的接続ケーブル（以下、ハーネスという）４９の他端部に接続された振動検出センサ４８が、新台入れ替え等による盤面替え時等に挿入されて仮止めされる。振動検出センサ４８は、３次元（３軸）加速度センサや１次元（１軸）加速度センサ等から構成されるもので、払出制御基板４３に接続され、所定の基準値以上の振動を検出可能に構成されている。この所定の基準値は、パチンコ機ＰＭに振動が作用しても該振動が遊技に影響を与えない程度の微弱なものであればそれをその都度検出しないように、予め設定されている。
【００５３】
また、遊技盤１０の化粧板１１の下側の裏面側には、盤面替え後の該化粧板１１に振動検出センサ４８を接触状態で取り付けるための保持部４０が固定されている。該保持部４０は、周囲を基板等の各部品に囲まれているため、新台入れ替え等で盤面替えされる際には、化粧板１１の背面側に装着された演出制御基板４４と該化粧板１１との間の隙間から振動検出センサ４８を手作業で挿入することで、化粧板１１裏面側に予め固定されている保持部４０に該振動検出センサ４８を挿入して保持するのである。
【００５４】
すなわち、保持部４０は、図３及び図８に示すように、パチンコ機ＰＭの背面側から見た際の背面視が矩形状に形成され、遊技盤１０の化粧板１１の裏面側に対し、断面Ｌ字部材３９を介して外周部が固定されている。保持部４０は、外周面の複数箇所において図８の左右方向（振動検出センサ４８の挿入方向）に切り込まれて内面４０ａ側に若干量突出するように形成された爪部４０ｂを有している。該爪部４０ｂは、他部より薄肉状に形成されて弾性を有する弾性薄肉部４０ｃにより、外方向に押圧された際に内方向に押し返す付勢力を持つように構成されている。爪部４０ｂには、外方側に突出する指掛け部４０ｄが一体に形成されている。
【００５５】
一方、保持部４０に挿入されて取り付けられる振動検出センサ４８は、全体的に略々直方体状に形成され、その外周面４８ａにおける爪部４０ｂに対応する位置に、係合凹部４８ｃが形成されている。外周面４８ａは、保持部４０の内面４０ａの矩形サイズより若干小さい矩形サイズに形成されて、保持部４０への挿入が容易になるように構成されている。振動検出センサ４８は、その後端面４８ｅにハーネス４９が機械的及び電気的に接続され、保持部４０に挿入される前端面４８ｄの外周部に面取りされた面取部４８ｂが形成されている。
【００５６】
このような振動検出センサ４８を保持部４０に装着する際は、まず図８（ａ）に示すように、保持部４０の開口に対して振動検出センサ４８を位置決めしながら、図８（ｂ）に示すように、該開口に押し込む。これにより、振動検出センサ４８が、面取部４８ｂを内面４０ａに沿わせながら保持部４０の内方に外周面４８ａを摺接させつつ進入し、内面４０ａ側に突出する爪部４０ｂが面取部４８ｂで外方に押し分けられながら外周面４８ａに沿って係合凹部４８ｃに係合し、図８（ｃ）に示すように、振動検出センサ４８を、前端面４８ｄが化粧板１１の裏面側に密着した状態で保持部４０側に堅固に固定する。
【００５７】
なお、本実施形態において保持部４０により化粧板１１の裏面側、即ち遊技盤１０の裏面側に接触される振動検出センサ４８は、遊技盤１０の裏面（つまり化粧板１１の裏面）に直接的に接触されても、遊技盤１０の裏面（つまり化粧板１１の裏面）に他部材（例えば始動チャッカー１４に入賞した遊技球を遊技盤裏面側にて迂回させる形で排出する通路部材）を介在した形で間接的に接触されてもよく、いずれの場合においても振動検出センサ４８による振動検出は良好に行われる。
【００５８】
また、仮止め部４７は、図３及び図９に示すように、パチンコ機ＰＭの背面側から見た際の背面視が矩形状に形成され、払出制御基板４３を収容する透明カバー４６の裏面に対し、断面Ｌ字部材３７を介して外周が固定されている。なお、仮止め部４７は、透明カバー４６裏面に限らず、交換対象である遊技盤１０側でなく非交換対象である前枠２側や裏セット盤３０側であれば、他の部位に取り付けられてもよいことは勿論である。
【００５９】
仮止め部４７は、外周面の複数箇所において図９の左右方向（振動検出センサ４８の挿入方向）に切り込まれて内面４７ａ側に若干量突出するように形成された爪部４７ｂを有している。該爪部４７ｂは、他部より薄肉状に形成されて弾性を有する弾性薄肉部４７ｃにより、外方向に押圧された際に内方向に付勢力を持つように構成されている。爪部４７ｂの先端部は、保持部４０の爪部４０ｂの角張った形状に比して丸く形成されており、振動検出センサ４８が挿入された際に、外周面４８ａに沿って外方に撓んだ後、係合凹部４８ｃに対して係合して振動検出センサ４８の抜けを阻止し、また該振動検出センサ４８が引っ張られて抜かれる際には、係合凹部４８ｃの形状に沿って外方に撓んで該係合凹部４８ｃから比較的簡単に外れて振動検出センサ４８を解放するように構成されている。このため、仮止め部４７には、保持部４０における指掛け部４０ｄが設けられておらず、仮止め時の作業性を向上させている。
【００６０】
また、図１に示すように、パチンコ機ＰＭの遊技機本体の上球皿（叩き可能部位）８ａには、正面部分、左部分及び右部分に、人体の接触の有無を検知する接触検知センサ（接触検知手段）３６が配置されており、これらはそれぞれの部位に、パチンコ機ＰＭで弾球遊技している遊技者の手等（人体）が接触したことを検知する。該接触検知センサ３６は、図１の上球皿８ａにおける破線で記載した符号３６で示す部位の表面に被膜（メッキ）された導電性の金属材を接触部として備えており、該接触部に人体が触れた際、その被接触信号を、主制御基板４２の不正入賞判定手段６０（図１０参照）に送信する。
【００６１】
ここで、本パチンコ機ＰＭにおける制御系に関し、その抜粋した一部について図１０を参照して説明する。
【００６２】
すなわち、図１０に示すように、遊技盤１０側に装着された状態で、新台入れ替え等で盤面替え時に交換対象となる主制御基板４２及び演出制御基板４４は、該主制御基板４２側から演出制御基板４４に一方向通信可能となるように電気的に接続されている。演出制御基板４４には、液晶表示パネル５０が電気的に接続されている。また、盤面替え時に非交換対象となる払出制御基板４３は、主制御基板４２との間で双方向通信可能となるように該主制御基板４２に電気的に接続されている。払出制御基板４３は、振動検出センサ４８から振動検出信号を受信し、該振動検出信号に応じた信号を主制御基板４２に出力し、また、球払出装置３４に球払出信号を出力する。
【００６３】
主制御基板４２は、入賞判定手段５９及び不正入賞判定手段６０を備えている。入賞判定手段５９は、発射ハンドル９の操作で作動する遊技球発射装置２４（図４参照）によって打ち出された遊技球が始動チャッカー（特定入賞部）１４や他の入賞口（図示せず）の何れかに入賞したとき、当該入賞があった旨を判定する。不正入賞判定手段６０は、振動検出センサ４８による振動検出、入賞判定手段５９による始動チャッカー１４等への入賞判定、及び接触検知センサ３６による人体接触検知に基づき、該始動チャッカー１４への入賞を不正行為による不正入賞と判定する。
【００６４】
なお、本発明に係る弾球遊技機が所謂第２種パチンコ遊技機である場合には、上記特定入賞部は、遊技領域ＰＡの略々中央部に配置される入球役物としてのセンター飾り（図示せず）内に設けられた不図示の回転体（所謂クルーン）のＶ入賞口（所謂Ｖゾーン）に相当し、上記入賞判定手段５９は該Ｖ入賞口への入賞の有無を判定し、上記不正入賞判定手段６０は、振動検出センサ４８による振動検出、入賞判定手段５９によるＶ入賞口への入賞判定、及び接触検知センサ３６による人体接触検知に基づき、該Ｖ入賞口への入賞を不正行為による不正入賞と判定することになる。
【００６５】
以上の構成を備える本パチンコ機ＰＭにあっては、新台入れ替え等による盤面替えに際して、遊技場への設置状態において遊技盤１０側の保持部４０に保持されている振動検出センサ４８を、指掛け部４０ｄに指等を掛けて爪部４０ｂを外方向にやや持ち上げるようにしながら振動検出センサ４８を保持部４０から離れる方向に引っ張ると、爪部４０ｂが係合凹部４８ｃから外れて、該振動検出センサ４８が保持部４０から離脱する。
【００６６】
このようにして保持部４０から外した振動検出センサ４８を、図９（ａ）に示すように、仮止め部４７の開口に対向させた状態で該開口に押し込むと、該振動検出センサ４８は、面取部４８ｂで仮止め部４７の爪部４７ｂを押し分けながら進入する。これにより、内面４７ａ側に突出している爪部４７ｂが面取部４８ｂで外方に押し上げられつつ外周面４８ａに沿って係合凹部４８ｃに係合し、図９（ｂ）に示すように、振動検出センサ４８は、前端面４８ｄが透明カバー４６から若干の隙間をあけた状態で仮止め部４７側に仮止めされる。
【００６７】
この状態において、化粧板１１に演出制御基板４４及び主制御基板４２が装着された状態の旧版の遊技盤１０を裏セット盤３０側から取り外した後、入れ替えるべき新たな遊技盤１０を裏セット盤３０側に装着する。その後、仮止め部４７に仮止めしていた振動検出センサ４８を仮止め部４７から引っ張るようにして取り外し、保持部４０にその周囲の隙間を手作業で通して振動検出センサ４８を接近させ、保持部４０に該振動検出センサ４８を押し込むようにして、前端面４８ｄを化粧板１１の裏面側に密着した状態で該保持部４０に固定する。
【００６８】
以上説明した本実施形態では、遊技盤１０に作用した所定の基準値以上の振動を検出可能な振動検出センサ４８と、該振動検出センサ４８を遊技盤１０の裏面側に接触させる接触位置に保持する第１の状態と該振動検出センサ４８を前枠２及び裏セット盤３０の何れか一方に保持する第２の状態とに変更可能な、保持部４０及び仮止め部４７からなる状態変更手段とを備える。これにより、振動検出センサ４８を、交換対象である遊技盤１０側に搭載するのではなく、非交換対象である遊技盤１０背面側の払出制御基板４３に電気的に接続した状態で該背面側の仮止め部４７に保持し、交換した遊技盤１０を前枠２にセットした時点で、遊技盤１０に加わる振動を適正に検知し得る状態にすることができる。このため、従前のように、新台入れ替え等で盤面替えが行われる際に、振動検出センサ４８を、交換する遊技盤毎に毎回使い捨てるような問題を解消することができる。なお、上記「接触位置」は、振動検出センサ４８を遊技盤１０の裏面側に接触させて該振動検出センサ４８による振動検出を可能にする位置を意味している。
【００６９】
また、本実施形態では、上記状態変更手段が、振動検出センサ４８を挿入固定して遊技盤１０の裏面側に接触させた状態に保持する保持部４０と、前枠２及び裏セット盤３０の何れか一方に配置されて、保持部４０から取り外された振動検出センサ４８を仮止め保持可能な仮止め部４７とからなる。このため、盤面替え等する際には、保持部４０から取り外した振動検出センサ４８を仮止め部４７に仮止め保持しておき、その状態で遊技盤１０を新しいものに交換した後、仮止め部４７から取り外した振動検出センサ４８を、新たな遊技盤１０に設けられている保持部４０に挿入保持することで、極めて容易に振動検出センサ４８の取付け作業を行うことができる。
【００７０】
更に、本実施形態によると、パチンコ機ＰＭの作動を統括的に制御する主制御基板４２と、表示部５５を有する液晶表示パネル５０と、演出指令信号に基づいて液晶表示パネル５０に画像制御信号を出力し、表示部５５に遊技展開に応じた画像を表示させる演出制御基板４４と、主制御基板４２からの払出指令信号に基づいて球払出装置３４の作動を制御する払出制御基板４３とを備え、振動検出センサ４８が払出制御基板４３に電気的に接続される。このため、振動検出センサ４８からの振動検出信号を主制御基板４２に出力することができ、また、該主制御基板４２を経由して演出制御基板４４に振動検出信号を送って、不正行為を抑制するような画面を表示することができる。
【００７１】
更に、本実施形態によると、主制御基板４２及び演出制御基板４４が、囲壁装飾枠（窓部）１５ｂよりも下方かつ遊技盤１０の下端面よりも上方の該遊技盤１０の後面下部領域に配設され、かつ遊技盤１０の後面下部領域に前後方向で重なり合うように配設されるので、新台入れ替え等で遊技盤１０を着脱交換する際に、遊技盤１０に固有の主制御基板４２及び演出制御基板４４を一体的に交換することができ、作業性がより向上される。また、演出制御基板４４が遊技盤１０の後面下部領域に位置しているので、液晶表示パネル５０を裏セット盤３０の最後部に配置し、液晶表示パネル５０の前方に奥行きのある遊技領域を確保することができる。
【００７２】
そして、本実施形態によると、接触検知センサ３６が、遊技機本体の上球皿８ａに配置されて人体の接触の有無を検知し、入賞判定手段５９が、遊技領域ＰＡに配置された特定入賞部（本発明を所謂第１種パチンコ遊技機に適用した本実施形態では始動チャッカー１４となり、本発明を所謂第２種パチンコ遊技機に適用した場合はＶ入賞口となる）への入賞を判定し、不正入賞判定手段６０が、振動検出センサ４８による振動検知、入賞判定手段５９による上記特定入賞部への入賞判定、及び接触検知手段３６による人体接触検知に基づき、上記特定入賞部への入賞を不正行為による不正入賞と判定する。これにより、特定入賞部への入賞があった場合、遊技場係員が実際に現場を見ているか否かに拘わらず、該入賞を、所謂ドツキによる不正行為で取得したものであると容易に特定することができる。
【００７３】
そして、不正入賞判定手段６０が、振動検出センサ４８による振動検知、及び入賞判定手段５９による入賞判定に加え、上球皿８ａに配置された接触検知センサ３６による人体接触検知を条件として、上記特定入賞部への入賞を不正入賞と判定する。これにより、自身のパチンコ機ＰＭ（本機）にて特定入賞部への正当な入賞が得られた際に、隣りのパチンコ機（他機）で行われたドツキによる振動が本機に伝わったとしても、本機にて叩き可能部位に対する接触（つまり、ドツキ時の人体接触）が検知されなければドツいたことにはならず、従って、本機側での特定入賞を不正入賞と判定されることはない。このように、本機で遊技している遊技者が、上記特定入賞部への入賞を折角取得したのに、隣りのパチンコ機で発生したドツキによる振動の影響で当該特定入賞が無効になる等の不合理な事象の発生を、確実に回避することができる。これらの構成は、後述する変形例１及び２においても同様に適用できることは勿論である。
【００７４】
なお、本実施形態では、仮止め部４７を、前枠２側に配置される透明カバー４６に設けたが、これに限らず、前枠２における適宜の部位やその他の部位、裏セット盤３０における適宜の部位やその他の部位、或いは、前枠２や裏セット盤３０から支持部材等で延出された部位に設けることもでき、その場合にも、同様の効果を得ることができる。またこれは、後述する変形例１及び２においても同様である。
【００７５】
次に、図１１を参照して、本実施形態の変形例１について説明する。
【００７６】
すなわち、図１１に示すように、保持部５６及び仮止め部５７は、遊技盤１０が前枠２に装着され、裏セット盤３０が前枠２に取り付けられた状態において、該前枠２の前後方向（図１１における左右方向）で位置整合するように設けられている。つまり、仮止め部５７は、支持部材５４を介して裏セット盤３０側に支持された状態で、裏セット盤３０が前枠２に取り付けられると、化粧板１１裏面側の保持部５６の後側（遊技領域ＰＡに向かって対座して遊技している遊技者が位置する側と反対の側を意味する）に位置整合した状態で当接する。このように、断面Ｌ字部材３９を介して遊技盤１０の化粧板１１の裏面側に固定された保持部５６と、該保持部５６の断面形状及びサイズが同等で該保持部５６の後側に密着するように支持部材５４を介して裏セット盤３０側に支持された仮止め部５７とが、前枠２の前後方向で位置整合するように設けられている。なお、符号５４ａは、仮止め部５７の内面５７ａで形成される後部開口に合わせて形成した開口部である。
【００７７】
本変形例１における仮止め部５７は、図９に示した仮止め部４７とは異なり、爪部４７ｂのような爪部は有さず、後側（図１１の右側）から挿入された振動検出センサ４８を一旦仮止め保持した状態で（図１１(a)参照）、該振動検出センサ４８の前端面４８ｄ側に突出する爪部（係止部）５７ｂを有している。該爪部５７ｂは、他部より薄肉状に形成されて弾性を有する弾性薄肉部５７ｃにより、外方向に押圧された際に内方向に付勢力を持つように構成されている。爪部５７ｂの先端部は、振動検出センサ４８が矢印Ａ方向に挿入された際に、面取部４８ｂによって押し上げられて外周面４８ａに沿って外方に撓んだ後（図１１(b)参照）、該爪部５７ｂを通過して保持部５６の内面５６ａ側に挿入された時点で該爪部５７ｂが外周面４８ａから外れて矢印Ｂ方向に回動して元の状態に復帰し、振動検出センサ４８の後端面４８ｅに当接して該振動検出センサ４８を保持部５６から抜けないように保持する（図１１(c)参照）。これにより、振動検出センサ４８は、化粧板１１の裏面１１ａ側に前端面４８ｄを当接（接触）させた形で、加えられる振動を適正に検出し得る状態となる。
【００７８】
一方、新台入れ替え等に際して振動検出センサ４８を保持部５６から取り外す場合は、爪部５７ｂの上部の指掛け部５７ｄに指等を掛けて後方に引き上げ、その状態で、ハーネス４９を静かに引っ張りながら、保持部５６から仮止め部５７側に移動させて該仮止め部５７に保持（仮止め）する。この状態において、盤面替え作業を行い、その後、新たな遊技盤１０をセットした時点で、該遊技盤１０の化粧板１１裏面側の保持部５６に位置整合した仮止め部５７側から、該仮止め部５７の内方に仮止めしている振動検出センサ４８を保持部５６側に押し出し移動させることで、該振動検出センサ４８を遊技盤１０側に再び装着する。なお、本変形例１において、振動検出センサ４８は係合凹部４８ｃを備えてはいない。また、本変形例１において、本発明に係る状態変更手段は、保持部５６と仮止め部５７とから構成される。
【００７９】
以上のような本変形例１では、前述した実施形態と略々同様の効果を得られると共に、仮止め部５７が、遊技盤１０が前枠２に装着された状態で保持部５６の後側に位置整合するように設けられ、かつ仮止めされた振動検出センサ４８を、保持部５６に向けて移動させることにより該保持部５６に挿入保持するように構成されるため、振動検出センサ４８の仮止め部５７への仮止め工程、前枠２側への装着工程を、極めて容易にワンタッチ的に行うことができ、作業性が向上される。
【００８０】
また、本変形例１では、仮止め部５７が、保持部５６に挿入保持された振動検出センサ４８の後端面４８ｅを係止して押さえる爪部（係止部）５７ｂを有するので、仮止め部５７側から保持部５６側に移動させて挿入した振動検出センサ４８を爪部５７ｂで自動的に係止することができ、これにより、作業性がより向上される。なお、本変形例１における仮止め部５７は、支持部材５４を介して裏セット盤３０側に支持されるが、これに限らず、非交換対象である前枠２側や裏セット盤３０側であれば、他の部位に取り付けられてもよいことは勿論である。
【００８１】
引き続き、図１２を参照して、本実施形態の変形例２について説明する。
【００８２】
すなわち、本変形例２では、図１２に示すように、裏セット盤３０における化粧板１１の裏面１１ａに対向し得る部位に、振動検出センサ４８を裏セット盤３０側に保持する保持部６１を備えている。該保持部６１は、図１２の左側から見た正面視が矩形状に構成されている。つまり、保持部６１は、内面６１ａに振動検出センサ４８を摺動自在に収容し得る角筒状に構成されており、開口を有する前側を化粧板１１側に向けた状態で、閉塞した後側を裏セット盤３０側に連結される支持部材６３に固定支持されている。保持部６１は、振動検出センサ４８の後端面４８ｅに接続されたハーネス４９を外方に突出させる穴部６１ｂを有し、内方に収容した振動検出センサ４８の後端面４８ｅに一端が固定され且つ底面６１ｃに他端が固定されこれら両端部間に縮設されたコイルばね（弾性部材）６２を有している。弾性部材としては、コイルばね６２に代えて、板ばね、ゴム材等を使用することも可能である。なお、本変形例２において、本発明に係る状態変更手段は、保持部６１により構成される。
【００８３】
以上の構成を備える本変形例２において、保持部６１に振動検出センサ４８が保持されただけの準備段階では、図１２（ａ）に示すように、振動検出センサ４８は保持部６１の開口からやや突出した状態にある。そして、新台入れ替え等で遊技盤１０が取り替えられ、新しい遊技盤１０の化粧板１１が前枠２にセットされると、裏面１１ａ側が、保持部６１に保持されてやや突出している振動検出センサ４８の前端面４８ｄに当接（接触）し、該前端面４８ｄを保持部６１の内方に向けて押し付ける。これにより、振動検出センサ４８は、図１２（ｂ）に示すように、コイルばね６２の付勢力に抗して押し込まれた状態で、前端面４８ｄを化粧板１１の裏面１１ａ側に適正に押し当てて、遊技盤１０に加えられた振動を検知し得る状態になる。
【００８４】
以上のような本変形例２によると、前述した実施形態と略々同様の効果を得られると共に、状態変更手段が、前枠２及び裏セット盤３０の何れか一方に支持された状態で、振動検出センサ４８をコイルばね６２で付勢することにより、遊技盤１０が前枠２に装着された際に該遊技盤１０の裏面側に接触する上記接触位置に保持する保持部６１からなるので、振動検出センサ４８を極めて簡単に振動検知状態にセットすることができ、これにより、作業性がより向上される。なお、本変形例２における保持部６１は、支持部材６３を介して裏セット盤３０側に支持されるが、これに限らず、非交換対象である前枠２側や裏セット盤３０側であれば、他の部位に取り付けられてもよいことは勿論である。
【００８５】
以上、本発明をその好適な実施形態及び変形例に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【産業上の利用可能性】
【００８６】
本発明に係る弾球遊技機は、パチンコ機、雀球遊技機、アレンジボール遊技機等に用いることが可能であり、特に遊技球の移動軌跡を不正に変化させる所謂ドツキを検出するための振動検出センサを備えるものに用いて好適である。
【符号の説明】
【００８７】
２    前枠
８ａ    叩き可能部位（上球皿）
１０    遊技盤
１４    特定入賞部（始動チャッカー）
１５ｂ    窓部（囲壁装飾枠）
２６    スピーカ
３０    裏セット盤
３４    球払出装置
３６    接触検知センサ
４０，５６    状態変更手段（保持部）
４２    主制御基板
４３    払出制御基板
４４    演出制御基板
４５    枠演出接続基板
４７，５７    状態変更手段（仮止め部）
４８    振動検出器（振動検出センサ）
４８ｅ    後端面
５０    画像表示器（液晶表示パネル）
５５    表示部
５７ｂ    係止部（爪部）
５９    入賞判定手段
６０    不正入賞判定手段
６１    状態変更手段（保持部）
６２    弾性部材（コイルばね）
ＰＡ    遊技領域
ＰＭ    弾球遊技機（パチンコ機）
【図１】
2010188040.tif 000003
【図２】
2010188040.tif 000004
【図３】
2010188040.tif 000005
【図４】
2010188040.tif 000006
【図５】
2010188040.tif 000007
【図６】
2010188040.tif 000008
【図７】
2010188040.tif 000009
【図８】
2010188040.tif 000010
【図９】
2010188040.tif 000011
【図１０】
2010188040.tif 000012
【図１１】
2010188040.tif 000013
【図１２】
2010188040.tif 000014